(57)【要約】【課題】歯裏の磨きやすい歯ブラシを提供する。【解決手段】柄の端部近傍に植毛部を有する歯ブラシにおいて、柄の中間部を二度折曲して、植毛部を有する前部柄と、該前部柄に対し所定角度にて折曲された中部柄と、中部柄に対し所定角度にて折曲された後部柄とを一体に設けることにより、手に持つ後部柄に対して前部柄を所定角度にて位置させたことを特徴とする。【選択図】図４
2014188361.tif 000002
【特許請求の範囲】
【請求項１】
柄の端部近傍に植毛部を有する歯ブラシにおいて、柄の中間部を二度折曲して、植毛部を有する前部柄と、該前部柄に対し所定角度にて折曲された中部柄と、中部柄に対し所定角度にて折曲された後部柄とを一体に設けることにより、手に持つ後部柄に対して前部柄を所定角度にて位置させたことを特徴とする折曲柄歯ブラシ。
【請求項２】
柄の折曲において、前部柄に対する中部柄の折曲を植毛部側への折曲として前部柄に対する所定の中部柄角度とし、後部柄の折曲を中部柄折曲方向と反対側への折曲として前部柄に対する所定の後部柄角度としてなる請求項１記載の折曲柄歯ブラシ。
【請求項３】
中部柄角度を３８度から５２度の範囲とし、後部柄の前部柄に対する角度を１３度から２７度の範囲としてなる請求項２記載の折曲柄歯ブラシ。
【発明の詳細な説明】
【技術分野】
【０００１】  この発明は、折曲形状の柄を有する歯ブラシに関する。
【背景技術】
【０００２】  従来より、種々の歯ブラシがあるが、本発明にて示すように、柄を二度折曲した形状の柄を有する歯ブラシは見あたらない。
【発明の概要】
【発明が解決しようとする課題】
【０００３】  歯ブラシは歯を磨いて清潔に保つための用具として多用され、一般的には練り歯磨き粉をブラシ部分に付着させて用いる。歯ブラシの柄の先端には、植毛部があり、この植毛部に歯磨き粉を乗せ、柄を持ってこの植毛部を歯の表や裏に軽く押し当てて動かして歯を磨くのである。歯を磨くとき、歯の表面は磨きやすいのであるが、問題は裏側である。
人間の歯は口腔形状により略円弧形になっているので、歯の裏面を磨くには少し工夫が必要である。歯ブラシの植毛部は平面視において長方形状のために、歯の裏面を磨くときは柄を縦に持つと磨きやすくなる。
しかしながら、例えば上あごの前歯の裏を磨くとき、歯ブラシの柄を縦に持ち、口を開け、植毛部を歯裏に押し当てて磨くのであるが、歯裏角度に植毛部を沿わせたときには柄の一部が下唇に当たるので磨きにくくなるのである。この磨きにくさを解消するには、柄を持つ角度を変えて柄が唇に当たらないようにすればよいが、すると今度は植毛部と歯裏とに角度ができてしまい、歯裏を十分に磨くことができなくなる。
以上、従来の歯ブラシでは柄がほぼ一直線状であるために既述のような問題があるが、これに対する適当な解決案が得られていないのが現状である。
本発明は以上に鑑み、柄を折曲形状とすることにて、既述の問題解決に役立つ、新規かつ有用なる手段を提供するべく発明されたものである。
【課題を解決するための手段】
【０００４】  課題を解決する手段として本発明は以下の構成とした。
すなわち、柄の端部近傍に植毛部を有する歯ブラシにおいて、柄の中間部を二度折曲して、植毛部を有する前部柄と、該前部柄に対し所定角度にて折曲された中部柄と、中部柄に対し所定角度にて折曲された後部柄とを一体に設けることにより、手に持つ後部柄に対して前部柄を所定角度にて位置させる。
本発明は以上の構成よりなる折曲柄歯ブラシである。
【発明の効果】
【０００５】  本発明によれば、柄を二度折曲することにより、歯ブラシの植毛部と後部柄との間に所定距離および所定角度を有するよう設けたので、歯の裏面を磨きやすくする効果を発揮する有用なる物品を得ることができる。また、柄を一体成形とすることにて製造コスト面でも不利にならずに製作することができる。
【図面の簡単な説明】
【０００６】
【図１】  本発明の平面図
【図２】  本発明の正面図
【図３】  従来品の正面図
【図４】  本発明の使用説明図
【図５】  従来品の使用説明図
【発明を実施するための最良の形態】
【０００７】  以下、本発明の実施形態について説明する。
図において、１は柄で、合成樹脂製の細長棒体である。２は前部柄で、所定長の平板状部分であって、その上面には適度の弾力を有する繊維状合成樹脂集合体よりなる植毛部３が植設されている。４は中部柄で、前部柄に比べて細幅の部分であり、前部柄底面に対し４５度上方へ折曲された部分であって、前部柄と一体となっている部分である。
５は後部柄で、前部柄よりやや幅広の柄部分であって、中部柄と一体であるとともに、中部柄に対し所定角度にて既述の曲げ方向とは逆方向へ折曲された部分である。
この後部柄は前部柄に対し２０度の傾斜角を有している。
以上の構成から、前部柄に対し中部柄は４５度上方へ折曲され、後部柄は前部柄に対し２０度の角度を有して位置し、２度の折曲による形状の柄を有する歯ブラシが形成される。【０００８】  次に、本発明の使用について説明する。
まず、植毛部上に適量の歯磨き粉を載せ、後部柄を縦にして手に持ち、植毛部端面を歯裏に軽く押し当てて柄を上下させる。この動作にて歯裏を容易に磨くことができる。
例えば、上あごの前歯裏を磨くとき、前部柄面に対して後部柄は距離と角度を有しており、従って植毛部を歯裏角度に沿わせたときでも柄が下唇に触れることなく磨くことができる。すなわち、既例では中部柄は前部柄に対し植毛部側へ４５度の角度にて折曲されている。従って、開けた口中より中部柄は斜方に外側へ突出し、また後部柄は中部柄の折曲方向と反対方向へ折曲されており、手に持つ後部柄角度が適当なものとなるのである。
一般に歯を磨くときは、まず腕の肘を曲げ、手首を少し曲げて持つこととなり、人間工学的にこれが自然な動作である。
このときに用いる歯ブラシの柄の角度が適切であることが必要となる。
本発明において、第１の折曲を４５度としたのは、口中からすみやかに前部柄に連続する中部柄を口中外に出すための角度としてふさわしいからである。また、第２の折曲を前部柄に対し２０度としたのは、前述の肘の曲げと手首の曲げの連続動作に適して、自然な感じで柄を持つための角度を得るためである。それゆえに、本発明では柄を自然な感じで持ちながら、歯を磨く際に柄が下唇に触れることなく、磨くことができるのである。また、このとき植毛部は歯裏角度と同じ角度にて磨けるのである。
上述の角度は、実験の結果得られたものであるが、第１の折曲角度は３８度から５２度の範囲、第２の折曲角度は、１３度から２７度の範囲でも抵抗感無く使用できることが確かめられている。【０００９】  以上、本発明について記したが、本発明は柄を二度折曲させたところにその特徴がある。
従来の歯ブラシの柄は図３にて示すように、非折曲単一棒体であるために、例えば上あご前歯裏を磨くときは、図５にて示すように下唇に柄が当たらないようにすると植毛部角度と歯裏角度とが不一致となって十分に磨くことが難しくなる。
しかし本発明では図４にて示すように、柄が二度折曲されているために、下唇と柄が触れることなくしかも歯裏角度と植毛部角度とを一致させて磨くことができるのである。
また、二度折曲にて柄を持ったときの自然な角度を維持したまま磨けるのである。
下あご前歯磨くときも同様であり、奥歯磨きも同様効果が発揮される。
本発明は、歯裏をよりよく磨くことを主眼として発明したが、歯裏以外の部分を磨く上での支障もないものである。なお、図示は実施の一例であって近似の他の構成としてもよい。以上のごとく、本発明によって歯裏磨きに適した歯ブラシを得ることができる。
【符号の説明】
【００１０】１    柄
２    前部柄
３    植毛部
４    中部柄
５    後部柄
１０  柄
【図１】
2014188361.tif 000003
【図２】
2014188361.tif 000004
【図３】
2014188361.tif 000005
【図４】
2014188361.tif 000006
【図５】
2014188361.tif 000007